【手続補正書】
【提出日】平成29年9月28日(2017.9.28)
【手続補正１】
【補正対象書類名】特許請求の範囲
【補正対象項目名】全文
【補正方法】変更
【補正の内容】
【特許請求の範囲】
【請求項１】
プレイヤキャラクタのバトル相手である敵キャラクタがそれぞれ出現する独立した二以上のバトルシーンを含むゲームを、プレイヤが一の前記バトルシーンをクリアすると次の一の前記バトルシーンを提供するようにして前記プレイヤに提供するゲーム管理制御部と、
一の前記バトルシーンにおいて、当該一のバトルシーンで出現する前記敵キャラクタへの前記プレイヤキャラクタによる攻撃が、前記敵キャラクタへの攻撃を前記一のバトルシーンとは異なる前記バトルシーンで出現することが設定された他の前記敵キャラクタにも及ぼすことができるキャリーオーバー条件を満たしたか否かを判断するキャリーオーバー条件判断部と、
前記キャリーオーバー条件を満たした場合に、前記一のバトルシーンにおける前記敵キャラクタへの前記プレイヤキャラクタによる攻撃で生じた第１の攻撃値で、当該一のバトルシーンの次の前記バトルシーンで出現する前記敵キャラクタに設定された、当該敵キャラクタを打倒するのに必要な打倒パラメータ値を相殺する処理を行い、前記打倒パラメータ値がゼロとなった場合に当該敵キャラクタの出現をスキップし、前記打倒パラメータ値がゼロとならなかった場合に当該敵キャラクタの前記打倒パラメータ値が相殺された状態で出現させるキャリーオーバー処理部と、
を含むゲーム提供装置。
【請求項２】
請求項１に記載のゲーム提供装置において、
前記キャリーオーバー条件は、前記一のバトルシーンにおける前記敵キャラクタへの前記プレイヤキャラクタによる攻撃で生じた第１のブレイク値が、当該敵キャラクタに設定された当該敵キャラクタを所定のブレイク状態とするのに必要なブレイクパラメータ値となった後、当該敵キャラクタが前記所定のブレイク状態となっている所定のブレイク時間の間の当該敵キャラクタへの前記プレイヤキャラクタによる攻撃が所定のオーバーブレイク条件を満たすことであるゲーム提供装置。
【請求項３】
請求項２に記載のゲーム提供装置において、
前記所定のオーバーブレイク条件は、前記敵キャラクタが前記所定のブレイク状態となっている前記所定のブレイク時間の間の当該敵キャラクタへの前記プレイヤキャラクタによる攻撃で生じた第２のブレイク値が当該敵キャラクタに設定された前記ブレイクパラメータ値となることであるゲーム提供装置。
【請求項４】
請求項１から３いずれかに記載のゲーム提供装置において、
前記キャリーオーバー処理部は、前記キャリーオーバー条件を満たした場合に、前記第１の攻撃値で、当該一のバトルシーンにおける当該敵キャラクタに設定された前記打倒パラメータ値を相殺し、相殺後の余剰値で、当該一のバトルシーンの次の前記バトルシーンで出現する前記敵キャラクタに設定された前記打倒パラメータ値を相殺するゲーム提供装置。
【請求項５】
請求項２又は３に記載のゲーム提供装置において、
前記キャリーオーバー処理部は、前記キャリーオーバー条件を満たした場合に、前記敵キャラクタが前記所定のブレイク状態となっている前記所定のブレイク時間の間の当該敵キャラクタへの前記プレイヤキャラクタによる攻撃で生じた第２の攻撃値を、当該一のバトルシーンの次の前記バトルシーンで出現する前記敵キャラクタにも同時に及ぼすゲーム提供装置。
【請求項６】
請求項１から５いずれかに記載のゲーム提供装置において、
前記キャリーオーバー処理部は、前記打倒パラメータ値がゼロとならなかった場合に、前記次の前記バトルシーンに出現する前記敵キャラクタがもともと出現する設定となっている前記バトルシーンに当該敵キャラクタを出現させて前記プレイヤに提供するゲーム提供装置。
【請求項７】
請求項１から５いずれかに記載のゲーム提供装置において、
前記キャリーオーバー処理部は、前記打倒パラメータ値がゼロとならなかった場合に、前記一のバトルシーンに、前記次の前記バトルシーンに出現する前記敵キャラクタを出現させて前記プレイヤに提供するゲーム提供装置。
【請求項８】
請求項１から７いずれかに記載のゲーム提供装置は、前記プレイヤの端末装置であって、前記ゲーム管理制御部は、当該端末装置の表示部に前記バトルシーンを提供するゲーム提供装置。
【請求項９】
請求項１から７いずれかに記載のゲーム提供装置は、ネットワークを介して前記プレイヤの端末装置と接続されたゲーム管理サーバ装置であって、
前記ゲーム管理制御部は、前記プレイヤの前記端末装置に前記バトルシーンを提供するゲーム提供装置。
【請求項１０】
ゲーム提供装置として機能するコンピュータを、
プレイヤキャラクタのバトル相手である敵キャラクタがそれぞれ出現する独立した二以上のバトルシーンを含むゲームを、プレイヤが一の前記バトルシーンをクリアすると次の一の前記バトルシーンを提供するようにして前記プレイヤに提供するゲーム管理制御手段、
一の前記バトルシーンにおいて、当該一のバトルシーンで出現する前記敵キャラクタへの前記プレイヤキャラクタによる攻撃が、前記敵キャラクタへの攻撃を前記一のバトルシーンとは異なる前記バトルシーンで出現することが設定された他の前記敵キャラクタにも及ぼすことができるキャリーオーバー条件を満たしたか否かを判断するキャリーオーバー条件判断手段、
前記キャリーオーバー条件を満たした場合に、前記一のバトルシーンにおける前記敵キャラクタへの前記プレイヤキャラクタによる攻撃で生じた第１の攻撃値で、当該一のバトルシーンの次の前記バトルシーンで出現する前記敵キャラクタに設定された、当該敵キャラクタを打倒するのに必要な打倒パラメータ値を相殺する処理を行い、前記打倒パラメータ値がゼロとなった場合に当該敵キャラクタの出現をスキップし、前記打倒パラメータ値がゼロとならなかった場合に当該敵キャラクタの前記打倒パラメータ値が相殺された状態で出現させるスキップ処理手段、
として機能させるゲーム提供装置用プログラム。
【手続補正２】
【補正対象書類名】明細書
【補正対象項目名】０００３
【補正方法】変更
【補正の内容】
【０００３】
【特許文献１】特開２００８−１４２３５２号公報
【手続補正３】
【補正対象書類名】明細書
【補正対象項目名】０００６
【補正方法】変更
【補正の内容】
【０００６】
本発明によれば、
プレイヤキャラクタのバトル相手である敵キャラクタがそれぞれ出現する独立した二以上のバトルシーンを含むゲームを、プレイヤが一の前記バトルシーンをクリアすると次の一の前記バトルシーンを提供するようにして前記プレイヤに提供するゲーム管理制御部と、
一の前記バトルシーンにおいて、当該一のバトルシーンで出現する前記敵キャラクタへの前記プレイヤキャラクタによる攻撃が、前記敵キャラクタへの攻撃を前記一のバトルシーンとは異なる前記バトルシーンで出現することが設定された他の前記敵キャラクタにも及ぼすことができるキャリーオーバー条件を満たしたか否かを判断するキャリーオーバー条件判断部と、
前記キャリーオーバー条件を満たした場合に、前記一のバトルシーンにおける前記敵キャラクタへの前記プレイヤキャラクタによる攻撃で生じた第１の攻撃値で、当該一のバトルシーンの次の前記バトルシーンで出現する前記敵キャラクタに設定された、当該敵キャラクタを打倒するのに必要な打倒パラメータ値を相殺する処理を行い、前記打倒パラメータ値がゼロとなった場合に当該敵キャラクタの出現をスキップし、前記打倒パラメータ値がゼロとならなかった場合に当該敵キャラクタの前記打倒パラメータ値が相殺された状態で出現させるキャリーオーバー処理部と、
を含むゲーム提供装置が提供される。